(57)【要約】【課題】押圧によって凹んで圧力を受け止める複数の受圧体が、膝から臀部に向かって徐々に低くなって傾斜され、受圧体の上の人体がずり落ちない。【解決手段】複数の受圧体１１〜１３は、複数の連結体５〜６で連結され、受圧体１１〜１３は、順番に高さが低くなって傾斜する。複数の受圧体１４〜１６は、複数の連結体７〜９で連結され、受圧体１４〜１６は、同じ高さで傾斜していない。傾斜部分には膝裏から大腿部が載置され、非傾斜部分には臀部が載置される。臀部にオムツをしても大腿部が傾斜部分からずり落ちない。複数の受圧体１１〜１６、下受圧体３６〜３８には、筒状チューブ２２…及び丸型チューブ２１…が内蔵される。筒状チューブ２２…及び丸型チューブ２１…からは、光触媒効果または／及び遠赤外線効果が発揮され、上布１、中上布２、中下布３、下布４からは、光触媒効果または／及び遠赤外線効果が発揮される。【選択図】図３
2008029453.tif 000002
【特許請求の範囲】
【請求項１】
押圧によって凹んで圧力を受け止め、人間の膝の裏付近に設置される第一の受圧体と、
この第一の受圧体より太さが小さいまたは高さが低く、押圧によって凹んで圧力を受け止め、上記第一の受圧体より人間の臀部により近い位置に設置される第二の受圧体と、
この第二の受圧体より太さが小さいまたは高さが低く、押圧によって凹んで圧力を受け止め、上記第二の受圧体より人間の臀部により近い位置に設置される第三の受圧体と、
上記第一の受圧体と上記第二の受圧体とを連結し、これら第一の受圧体及び上記第二の受圧体より太さが小さいまたは高さが低い第一の連結体と、
上記第二の受圧体と上記第三の受圧体とを連結し、これら第二の受圧体及び上記第三の受圧体より太さが小さいまたは高さが低い第二の連結体とを備えたことを特徴とする人体当接具。
【請求項２】
上記第一の受圧体、上記第二の受圧体、上記第三の受圧体にかけて、漸次太さが小さくなるまたは漸次高さが低くなって傾斜し、この傾斜部分に膝の裏から大腿部が当接し、
上記第三の受圧体より第一の受圧体とは反対側は同じ太さまたは同じ高さで傾斜せず、この部分には臀部が当接し、この傾斜部分と非傾斜部分との境界は人体当接具の表面のほぼ中央であることを特徴とする請求項１記載の人体当接具。
【請求項３】
上記第一の受圧体、上記第二の受圧体、上記第三の受圧体、上記第四の受圧体の下面には、上記第三の受圧体または上記第四の受圧体より太さが小さいまたは高さが低い下受圧体が設けられていることを特徴とする請求項１または２記載の人体当接具。
【請求項４】
人体当接具は人体の腰から臀部にかけても設置当接され、上記第一の受圧体は腰付近に設置され、上記第三の受圧体は臀部付近に設置されることを特徴とする請求項１、２または３記載の人体当接具。
【請求項５】
上記第一の受圧体の上記第二の受圧体とは反対側には、係止体が連結され、この係止体は椅子または車椅子の背もたれに係止されるまたは下腿部の裏側に当接することを特徴とする請求項１、２、３または４記載の人体当接具。
【請求項６】
上記第一受圧体の両端には、この第一受圧体から突出している突出部が設けられていることを特徴とする請求項１、２、３、４または５記載の人体当接具。
【発明の詳細な説明】
【技術分野】
【０００１】
本発明は、人体当接具に関し、例えば座布団または背もたれのように、人体の表面に当接して、人体への圧迫を和らげる器具に関する。
【背景技術】
【０００２】
近年、椅子または車椅子に座りっぱなしになると、膝付近の血行が悪くなり、エコノミークラス症候群のように、血栓の原因になることが考えられる。そこで、膝付近を若干持ち上げるようにすると、膝付近の血行がよくなり、血栓の発生を防止することができる。
【０００３】
また、このように、膝付近を若干持ち上げるようにすると、椅子または車椅子から座っている人が滑り落ちにくくなり、すわり心地も良くなり、姿勢が良くなり、座っている人の血行もよくなる。
【０００４】
特に、老齢者、けが人または非健常者（障害者）などオムツをしている人にとっては、車椅子や椅子に座ったとき、膝の裏の位置に対して臀部の位置が、オムツの厚みの分だけ高くなるので、老齢者、けが人または障害者などが、車椅子や椅子から滑り易くなっていた。
【０００５】
一方、人体当接具としては、従来、椅子の膝の裏が当たる付近に細長い棒状の受圧体を設置するものがあった。また、臀部から膝の裏に向かって徐々に厚くなる座布団もあった。
【０００６】
ところが、細長い棒状の受圧体では、この棒状受圧体の臀部よりの部位には、当該受圧体の段差が当たり、この段差を境にして、圧迫が非常に強い箇所と、逆に圧迫が非常に弱く浮いたような箇所とが隣り合わせとなり、不快感をもたらしていた。また、臀部から膝の裏に向かって徐々に厚くなる座布団では、膝裏から臀部にかけて座布団が密着してしまい、通気性が悪くなり、やはり不快感をもたらしていた。
【０００７】
【特許文献１】特開平９−５９１号公報
【特許文献２】特開２００３−１２５８８６号公報
【特許文献３】特開２００３−１２６１６１号公報
【発明の開示】
【発明が解決しようとする課題】
【０００８】
本発明は、上述した課題を解決するためになされたものであり、本発明の目的は、膝の裏から臀部にかけて、または腰から臀部にかけて、快適な当接感の得られる人体当接具を提供することである。
【課題を解決するための手段】
【０００９】
上記目的を達成するため、本件発明は、押圧によって凹んで圧力を受け止め、人間の膝の裏付近に設置される第一の受圧体と、  この第一の受圧体より太さが小さいまたは高さが低く、押圧によって凹んで圧力を受け止め、上記第一の受圧体より人間の臀部により近い位置に設置される第二の受圧体と、  この第二の受圧体より太さが小さいまたは高さが低く、押圧によって凹んで圧力を受け止め、上記第二の受圧体より人間の臀部により近い位置に設置される第三の受圧体と、  上記第一の受圧体と上記第二の受圧体とを連結し、これら第一の受圧体及び上記第二の受圧体より太さが小さいまたは高さが低い第一の連結体と、  上記第二の受圧体と上記第三の受圧体とを連結し、これら第二の受圧体及び上記第三の受圧体より太さが小さいまたは高さが低い第二の連結体とを備えた。
【発明の効果】
【００１０】
第一の受圧体から第二の受圧体にかけて、徐々に太さが小さくなる、または高さが低くなるので、段差がなくなり、膝の裏から臀部にかけて、または腰から臀部にかけて、快適な当接感または座り心地が得られる。
【００１１】
また、各受圧体の間の連結体は、受圧体より太さが小さいまたは高さが低いので、この連結体で隙間ができ、膝裏から臀部にかけて、または腰から臀部にかけて、人体当接具が密着せず、通気性が良くなり、快適な当接感または座り心地が得られる。
【００１２】
老齢者などがオムツをして座っても、膝が高くなっているので、ずり落ちてしまうことがない。オムツをしていない人が座っても、膝が持ち上げられて、背中が前のめりにならず正しい美しい姿勢となる。
【００１３】
各連結体は、各受圧体より太さが小さいまたは高さが低いので、本人体当接具を折りたたむのに容易となる。また係止体が椅子または車椅子の背もたれに係止されるまたは下腿部の裏側に当接するので、老齢者・非健常者を持ち上げたり体位変更したりするのに、この係止体を引いたり動かしたりすればよい。
【発明を実施するための最良の形態】
【００１４】
（１）人体当接具の構造
図１は人体当接具の外観を示し、図２は同人体当接具の断面を示す。方形状の同形同大の上布１、中上布２、中下布３、下布４が重ねられている。この上布１、中上布２、中下布３、下布４の周縁は縫合されて一体化され、この周縁の縫合ラインは周縁縫合部１０となっている。図１において上縁側を奥、下縁側を手前、左側を左、右側を右と呼ぶ。
【００１５】
上布１と中上布２とは、６箇所で縫合され、この縫合は手前から奥に横切るように行なわれ、これら６箇所の縫合ラインは互いに平行になっている。この６箇所の縫合ラインのうち、いちばん左側の縫合ラインは細く結合部１８となっている。この結合部１８は、上布１と中上布２のほか、中下布３と下布４まで縫合されている。
【００１６】
残り５箇所の縫合ラインは、複数の縫合ラインからなり、所定の幅を有していて太くなっていて、同形同大で、それぞれ第一連結部５、第二連結部６、第三連結部７、第四連結部８、第五連結部９となる。
【００１７】
結合部４と第一連結部５との間には、第一受圧体１１が形成され、第一連結部５と第二連結部６との間には、第二受圧体１２が形成され、第二連結部６と第三連結部７との間には、第三受圧体１３が形成され、第三連結部７と第四連結部８との間には、第四受圧体１４が形成され、第四連結部８と第五連結部９との間には、第五受圧体１５が形成され、第五連結部９と右側の周縁縫合部１０との間には、第六受圧体１６が形成されている。
【００１８】
これらの第一受圧体１１、第二受圧体１２、第三受圧体１３、第四受圧体１４、第五受圧体１５、第六受圧体１６は、周縁が全て縫合されて密封され、内側に丸型チューブ２１と筒状チューブ２２とが多数内蔵されている。
【００１９】
上記第一連結部５は上記第一受圧体１１と上記第二受圧体１２とを連結し、上記第二連結部６は上記第二受圧体１２と上記第三受圧体１３とを連結し、上記第三連結部７は上記第三受圧体１３と上記第四受圧体１４とを連結し、上記第四連結部８は上記第四受圧体１４と上記第五受圧体１５とを連結し、上記第五連結部９は上記第五受圧体１５と上記第六受圧体１６とを連結していることになる。
【００２０】
上記第一連結部５、第二連結部６、第三連結部７、第四連結部８、第五連結部９の幅／大きさは、すべて同じ大きさで、上記第三受圧体１３の幅／大きさより小さく第四受圧体１４の幅／大きさより大きい、第四受圧体１４の幅／大きさと同じ、第四受圧体１４の幅／大きさより小さい、または上記第二受圧体１２の幅／大きさより小さく第三受圧体１３の幅／大きさより大きい。なお、第一連結部５、第二連結部６、第三連結部７、第四連結部８、第五連結部９の幅／大きさは、この順番で徐々に小さくなってもよい。
【００２１】
このような第一連結部５、第二連結部６、第三連結部７、第四連結部８、第五連結部９の幅／大きさは、座るまたは当接する人体の大きさ・重量によって最適なものが選ばれる。これにより、これらの連結体５、６、７、８、９で隙間ができ、膝裏から臀部にかけて、または腰から臀部にかけて、人体当接具が密着せず、通気性が良くなり、快適な当接感または座り心地が得られる。
【００２２】
上記寸法の一例は以下の通りである。上記第一受圧体１１の幅は５０ｍｍ、第二受圧体１２の幅は４０ｍｍ、第三受圧体１３の幅は３０ｍｍ、第四受圧体１４、第五受圧体１５及び第六受圧体１６の幅は２０ｍｍとなる。上記第一連結部５、第二連結部６、第三連結部７、第四連結部８及び第五連結部９の幅は２０乃至３０ｍｍとなる。
【００２３】
上記第一受圧体１１の左側両端の角から第二受圧体１２の両側にかけて、「Ｌ字状」の側縁布２６が縫合されている。この側縁布２６の周縁は全て縫合されて、密封され、突出部２７となっていて、内側に丸型チューブ２１と筒状チューブ２２とが多数内蔵されている。
【００２４】
上記下中布３及び下布４とは、上記結合部１８と周縁縫合部１０以外に、２箇所で縫合され、この縫合は手前から奥に横切るように行なわれ、これら２箇所の縫合ラインと上記結合部１８と周縁縫合部１０とは互いに平行になっている。この２箇所の縫合ラインは左側から第一下縫合部３１、第二下縫合部３２となる。
【００２５】
これら下中布３及び下布４の間の、結合部１８、第一下縫合部３１、周縁縫合部１０で密封された部分は、第一下受圧体３６となる。下中布３及び下布４の間の、第一下縫合部３１、第二下縫合部３２、周縁縫合部１０で密封された部分は、第二下受圧体３７となる。下中布３及び下布４の間の、第二下縫合部３２、周縁縫合部１０で密封された部分は、第三下受圧体３８となる。
【００２６】
これらの第一下受圧体３６、第二下受圧体３７、第三下受圧体３８は、周縁が全て縫合されて密封され、内側に丸型チューブ２１と筒状チューブ２２とが多数内蔵されている。これにより、第一連結部５、第二連結部６、第三連結部７、第四連結部８、第五連結部９の下にも丸型チューブ２１と筒状チューブ２２を配置できる。
【００２７】
これらの第一下受圧体３６、第二下受圧体３７、第三下受圧体３８は、上記第一受圧体１１、第二受圧体１２、第三受圧体１３、第四受圧体１４、第五受圧体１５または／及び第六受圧体１６より、太さが小さい、厚さが薄いまたは高さが低くなっている。
【００２８】
第四受圧体１４、第五受圧体１５及び／または第六受圧体１６と上記第三連結部７、第四連結部８及び／または第五連結部９とは、複数交互に連結されて、人間の膝裏または腰から臀部まで到達しており、臀部付近に当接している。これにより、体当接具が臀部に密着せず、通気性が良くなり、快適な当接感または座り心地が得られる。
【００２９】
上記上布１、上中布２、下中布３及び下布４の第一受圧体１１及び結合部１８より左側の部分は、間には何も介在されずに、周縁で互いに縫合されて、係止シート３９が形成され、この係止シート３９は上記第一受圧体１１に連結される。上記下布４は、複数枚または一枚の布が重ねあわされてキルティング加工され、互いにずれないように一体化され洗濯可能となっている。
【００３０】
上記係止シート３９の両端には紐４０、４０（固定手段、連結手段）が連結されている。この紐４０、４０は、車椅子または椅子の支柱などに結ばれて、本人体当接具が椅子または車椅子からずり落ちないようにされる。
【００３１】
（２）人体当接具の使用状態
図３及び図４は、人体当接具の使用状態を示す。上記第一受圧体１１、第二受圧体１２、第三受圧体１３、第四受圧体１４、第五受圧体１５、第六受圧体１６には、丸型チューブ２１と筒状チューブ２２が内蔵されているので、本人体当接具の上に臀部、大腿部、膝を乗せたり、腰から臀部を当接させたりすると、これらの重み、押圧または加圧で第一受圧体１１、第二受圧体１２、第三受圧体１３、第四受圧体１４、第五受圧体１５、第六受圧体１６が凹んで、圧力を受け止める。
【００３２】
そして、上記第一受圧体１１、第二受圧体１２、第三受圧体１３、第四受圧体１４は、この順番で幅が順次狭くなっており、第四受圧体１４、第五受圧体１５、第六受圧体１６は幅が同じである。
【００３３】
さらに、上記第一受圧体１１、第二受圧体１２、第三受圧体１３、第四受圧体１４には、この順番で、上記丸型チューブ２１と筒状チューブ２２がより少なく充填され、第四受圧体１４、第五受圧体１５、第六受圧体１６には、上記丸型チューブ２１と筒状チューブ２２が同量充填される。
【００３４】
したがって、上記第一受圧体１１、第二受圧体１２、第三受圧体１３、第四受圧体１４の順番で、太さが小さく、厚さが薄くなるまたは高さが低くなり、傾斜する。第四受圧体１４、第五受圧体１５、第六受圧体１６は同じ太さ、同じ厚さまたは同じ高さとなり、傾斜しなくなる。
【００３５】
図３に示すように、上記第一受圧体１１は、人間の膝の裏付近に配置／設置され、上記第二受圧体１２、第三受圧体１３、第四受圧体１４、第五受圧体１５、第六受圧体１６は、この順番で、上記膝の裏から臀部に向かって、順次配置／設置される。
【００３６】
すなわち、第一受圧体１１、第二受圧体１２、第三受圧体１３、第四受圧体１４の傾斜部分には大腿部が当接し、第四受圧体１４、第五受圧体１５、第六受圧体１６の非傾斜部分には臀部が当接する。言い換えると、本人体当接具のほぼ中央から前（左）方は傾斜し、ほぼ中央から後ろ（右）方は傾斜しない。
【００３７】
これにより、老齢者、けが人または障害者などオムツをしている人にとっては、オムツの部分だけを傾斜させず、臀部を傾斜させないようにすることができ、快適な座り心地を達成できる。臀部まで傾斜していると、座った時安定せず、座り心地が悪くなる。
【００３８】
また、老齢者、けが人または障害者などオムツをしている人にとっては、オムツの厚みの分だけ高くなっても、車椅子や椅子から滑り易くなることがなくなる。さらに、車椅子や椅子に座ったとき、臀部の位置に対して膝の裏の位置が高くなり、すわり心地も良くなり、姿勢が良くなり、座っている人の血行もよくなる。
【００３９】
また、第一受圧体１１から第二受圧体１２、第三受圧体１３、第四受圧体１４、第五受圧体１５、第六受圧体１６にかけて、徐々に太さが小さくなる、厚さが薄くなるまたは高さが低くなるので、段差がなくなり、膝の裏から大腿部を経て臀部にかけて快適な当接感または座り心地が得られる。
【００４０】
また、各受圧体１１〜１６の間の連結部５〜９は、受圧体１１〜１６より太さが小さい、厚さが薄いまたは高さが低いので、この連結部５〜９で隙間ができ、膝裏から大腿部を経て臀部にかけて、人体当接具が密着せず、通気性が良くなり、快適な当接感または座り心地が得られる。
【００４１】
上記第一下受圧体３６、第二下受圧体３７、第三下受圧体３８は同形同大であるが、第一下受圧体３６、第二下受圧体３７、第三下受圧体３８の順番で、丸型チューブ２１及び筒状チューブ２２が順次少なく充填される。したがって、上述と同様に膝の裏から大腿部を経て臀部にかけて傾斜するので、上述と同様の効果を奏する。
【００４２】
上記係止シート３９は、上記第一受圧体１１の前（左）にあり、第一受圧体１１は膝の裏に当接するので、係止シート３９は膝の下の下腿部に当たり、下腿部の感触を良くすることができる。
【００４３】
上記一対の突出部２７は、両膝の外側に位置するので、両膝が外側に広がって車椅子の支柱に当たるのが防止され、座り心地がよくなる。特に、一対の突出部２７によって、両膝の裏の外側が少々持ち上げられると、座っている人がずり落ちなくなり、座り心地がよくなる。また、人体の膝の裏の外側に当接するので、膝の快適な当接感または座り心地が得られる。
【００４４】
図４に示すように、本件人体当接具は、人体の腰から臀部にかけて設置当接される。上記第一受圧体１１、第二受圧体１２、第三受圧体１３は腰付近に設置され、上記第三受圧体１３、第四受圧体１４、第五受圧体１５、第六受圧体１６は臀部付近に設置される。
【００４５】
また、第一受圧体１１から第二受圧体１２、第三受圧体１３、第四受圧体１４、第五受圧体１５、第六受圧体１６にかけて、徐々に太さが小さくなる、厚さが薄くなるまたは高さが低くなるので、段差がなくなり、腰から臀部にかけて快適な当接感または座り心地が得られる。
【００４６】
また、各受圧体１１〜１６の間の連結部５〜９は、受圧体１１〜１６より太さが小さい、厚さが薄いまたは高さが低いので、この連結部５〜９で隙間ができ、腰から臀部にかけて、人体当接具が密着せず、通気性が良くなり、快適な当接感または座り心地が得られる。
【００４７】
上記係止シート３９は、椅子または車椅子の背もたれに折り返して掛け、係止することができる。これにより、本人体当接具を背もたれから滑り落ちないようにして、腰から臀部にかけて当接させ続けることができる。
【００４８】
上記一対の突出部２７は、腰の外側に位置するので、腰が背もたれの両側の支柱に当たるのが防止される。また、突出部２７及び第一受圧体１１によって、腰を取り囲むように、人体当接具が当接することができ、腰の快適な当接感または座り心地が得られる。
【００４９】
また、場合によって、本人体当接具を裏返して、膝裏から大腿部を経て臀部の下に敷いたり、腰から臀部にかけて当接させたりできる。これにより、第一下受圧体３６、第二下受圧体３７、第三下受圧体３８によっても、上述と同様の快適な当接感または座り心地が得られる。
【００５０】
（３）人体当接具の素材・効果
上記上布１、上中布２、下中布３または／及び側縁布２６には、光触媒機能を有する例えば「シャインアップ」の素材が用いられる。上記丸型チューブ２１…（または筒状チューブ２２…）は表面または全体が光触媒機能を有する素材からなっていて、「シャインアップ」の素材が用いられる。
【００５１】
上記上中布２、下中布３、下布４または／及び側縁布２６には、遠赤外線を発する例えば「ロンウェーブ」（クラレ株式会社製品、登録商標）または「セラムＡ」(東洋紡株式会社製品、登録商標)または「エピコモド」」(登録商標)、「羊毛ゼオライト」または「バイネストセラ」」(登録商標)の素材が用いられる。
【００５２】
上記「シャインアップ」は、ポリエステル繊維とナイロン繊維とからなる複合繊維に金属含有セラミックス系の特殊消臭剤が練り込まれており、二酸化チタンによる光触媒反応により消臭と抗菌効果が発揮される。株式会社信州セラミックスから販売されている布などでも同様のものがある。
【００５３】
上記丸型チューブ２１…または筒状チューブ２２…などの光触媒機能を有する他の素材としては、二酸化チタン、ＣｄＳ、ＣｄＳｅ、ＷＯ3 、Ｆｅ2Ｏ3 、ＳｒＴｉＯ3 、ＫＮｂＯをチュ−ブ樹脂の表面にアパタイトなどのコーティングしたもの、シャインアップ（繊維、布、綿）、ディスメル（東洋紡績株式会社の商品）、エピコモド等を丸くしたものまたは筒状にしたものなどが選択される。
【００５４】
上記「ロンウェーブ」、「セラムＡ」または「エピコモド」は、アクリル繊維またはその他の繊維に超微粒子セラミックスが内蔵され／練り込まれている。このセラミックスの働きにより、体温近くの摂氏４０度前後において、遠赤外線が外部へと放射されて、人体への加温効果が発揮される。摂氏４０度前後において、遠赤外線の発生量が最も多い。
【００５５】
上記「ロンウェーブ」、「セラムＡ」または「エピコモド」の発する遠赤外線の波長は、５．０μｍ以上にわたってほぼまんべんなく多く、上記ゼオライトの発する遠赤外線の波長は、１．５乃至６．０μｍ付近が非常に多く、「ロンウェーブ」の発する遠赤外線の波長は、８乃至１６μｍ付近が非常に多く
【００５６】
上記「羊毛ゼオライト」または「バイネストセラ」は、天然鉱石であるゼオライトを加工したセラミックスとその微粒子を羊毛などの天然繊維の表面に堅牢に付着させたものである。このセラミックスとその微粒子の働きによって、体温より低温でも遠赤外線が十分に外部へ放射されて、人体への加温効果が発揮される。
【００５７】
上記ゼオライトの化学組成はケイ酸塩のケイ素の一部がアルミニウムに置換された形の縮合酸塩でありＳｉＯ4―ＡｌＯ4の連結四面体における三次元網目構造によるため、空洞を含む構造が形成され、その空洞、或いはその空洞が連結してできる孔路の中に、そのアニオン（陰イオン）と対応すべくカチオン（陽イオン）、更には結晶水が金属イオンの静電気的引力により存在している。
【００５８】
骨格のケイ素とアルミニウムの比、または陽イオンの種類、数等によって各種の構造のゼオライトが存在する。ゼオライトの一般的性質としては、陽イオン交換能、分子フルイ作用、極性物質の吸着、触媒作用等がある。
【００５９】
ゼオライトの結晶水はゼオライトの立体網目構造の中に水分子として存在するため特に沸石水と呼ばれ、加熱などにより脱水してもゼオライトの構造は破壊されず、結晶水が有った箇所はそのまま空洞として残り、ちょうどスポンジ状の構造になり、この空洞にガスや水分を強力に吸着する特性がある。
【００６０】
もう一つのゼオライトの大きな特性に塩基置換容量がある。これは陽イオン交換容量「Ｃ．Ｅ．Ｃ：Ｃａｔｉｏｎ  Ｅｘｃｈａｎｇｅ  Ｃａｐａｃｉｔｙ」とも呼ばれ、ちょうど磁石のように陽イオン（ＮＨ4＋・カリウム・ナトリウム・カルシウムなど）を保持したり離したりする力である。特にゼオライトの塩基置換容量は永久荷電と言い、周囲の環境（ＰＨなど）に左右されず、長期間その力を持続する特性がある。
【００６１】
このようにゼオライトには、吸着機能がある。このような吸着材料と光半導体セラミックスが用いられた布において、細菌、ウィルス、かび又は悪臭物質、有害物質等が、まず吸着材料に吸着保持され、抗菌消臭機能がある。
【００６２】
その後または同時に、光照射を受けた光半導体粉末と金属粉末とによる光触媒作用により、細菌、ウィルス、かび等が死滅または減少させられ、悪臭物質等が分解される。さらに、吸着されないような細菌その他の物の場合でも、光触媒作用により、発育（増殖）防止や忌避効果等が得られる。ゼオライトは、０度〜６０度以上の全温度においてほぼまんべんなく遠赤外線を発する。
【００６３】
上記「羊毛ゼオライト」または「バイオネストセラ」から発せられる赤外線は中赤外線であり、上記「ロンウェーブ」、「セラムＡ」または「エピコモド」から発せられる赤外線は遠赤外線及び超遠赤外線である。赤外線は、波長０．７６乃至１．５μｍを近赤外線、波長１．５乃至５．６μｍを中赤外線、波長５．６乃至４００μｍを遠赤外線、波長４００乃至１０００μｍを超遠赤外線という。しかし、本明細書及び特許請求の範囲では、この中赤外線も含めて遠赤外線として説明するし、超遠赤外線も遠赤外線として説明する。
【００６４】
遠赤外線の波長が長いほど、人体組織のより深い所まで浸透してより深部から暖める（保温させる）。したがって、遠赤外線の波長が長いほど、上記遠赤効果が出るまで時間がかるが、いったん遠赤効果がでると、持続性は長く続き、足から本足保護具を取り外しても、遠赤効果は持続する。
【００６５】
また、遠赤外線の波長が短いほど、人体組織の比較的表面を暖める（保温させる）。したがって、遠赤外線の波長が短いほど、上記遠赤効果が即座に早く出て、即効性があり、本足保護具に足を入れてからすぐに暖まる（加温される）。
【００６６】
したがって、上記中綿１２の「バイオネストセラ」及び「羊毛ゼオライト」は即効性／表面効果性があり、上記表面布１１の「ロンウェーブ」「セラムＡ」及び「エピコモド」は遅効性／深部効果性があるといえる。なお、表面布１１及び中綿１２としては、上記「羊毛ゼオライト」、「バイオネストセラ」、「ロンウェーブ」、「セラムＡ」または「エピコモド」を混合したものでもよい。
【００６７】
特に動脈は人体の内部深いところに位置するので、波長の長い遠赤外線によって血行・リンパ流促進を促し、静脈及びリンパ管は人体の内部浅いところに位置するので、波長の短い遠赤外線によって血行・リンパ流促進を促すことになる。このように遠赤外線の波長の違いによって頚動脈、頚静脈、リンパ管を分担して血行促進・リンパ流促進を達成できる。
【００６８】
このように、下布４などで遠赤外線を発し、上布１、丸型チューブ２１…または筒状チューブ２２…などで光触媒機能を発揮すると、遠赤外線の作用によって人体の血行がよくなって発汗するが、この発汗に伴うまたは発汗による汚れ、雑菌、異臭、垢、老廃物を光触媒作用によって、分解することができる。また、この遠赤外線によって、上記光触媒の機能を高めることができ、抗菌・防臭の効果を相乗的に高めることができる。
【００６９】
上記筒状チューブ２２…は、例えば、長さ４乃至１５ｍｍ、望ましくは６乃至１０ｍｍ、
外直径３乃至１０ｍｍ、望ましくは４乃至５ｍｍ、厚さ０．０１乃至１ｍｍ、望ましくは０．０５乃至０．１ｍｍであり、材質はポリエチレン、ポリプロピレン、アクリルなどの合成樹脂（プラスチック）などからなっている。
【００７０】
上記丸型チューブ２１…は、例えば、外直径３乃至２０ｍｍ、望ましくは５乃至１０ｍｍ、厚さ０．０１乃至１ｍｍ、望ましくは０．０５乃至０．１ｍｍであり、材質はポリエチレン、ポリプロピレン、アクリルなどの合成樹脂（プラスチック）などからなり、比較的硬いが可撓性を有している。硬さは、上記筒状チューブ２２…より硬くても軟らかくてもよい。
【００７１】
上記筒状チューブ２２…は筒状であるため、貫通穴が形成され、さらに上記丸型チューブ２１…にも貫通穴が形成されている。この丸型チューブ２１…の貫通穴の大きさは、丸型チューブ２１…の外直径の２０％乃至５０％であり、０．６乃至１０ｍｍ、望ましくは１乃至５ｍｍとなる。また、上記筒状チューブ２２…の貫通穴の大きさは、２乃至９．９９ｍｍ、望ましくは３乃至４．９９ｍｍとなる。
【００７２】
また、丸型チューブ２１…の貫通穴の大きさは、筒状チューブ２２…の外直径／大きさ／太さより小さく、また丸型チューブ２１…の外直径／大きさは、筒状チューブ２２…の貫通穴の大きさより大きく選択される。したがって、筒状チューブ２２…が、丸型チューブ２１…の貫通穴内に入ってしまうことがないし、逆に丸型チューブ２１…が、筒状チューブ２２…の貫通穴内に入ってしまうことがない。したがって、長く使用しても、また本件四肢改善具を洗濯しても、丸型チューブ２１…及び筒状チューブ２２…全体としての体積が減少してしまうことなく、長く快適に使用できる。
【００７３】
なお、本件四肢改善具に収納される粒状物は、丸型チューブ２１…だけとしてもよい。その方が、粒状物同士が入り込んでしまうことがより無くなる。しかし、筒状チューブ２２…は筒状であるため、通気性／放熱性／乾燥性に優れている。したがって、両者を混在させるのがよい。両者の混合割合は、重量比で１０％乃至９０％：９０％乃至１０％、望ましくは５０％：５０％である。
【００７４】
丸型チューブ２１…または／及び筒状チューブ２２…の一部または全部には、形状記憶作用がある。これにより、本件四肢改善具を使用して、四肢の重みでこれらが変形しても、四肢の重みから解放されれば、元の形に戻るし、後述する光触媒作用などの抗菌作用／防臭作用／分解作用、遠赤外線発生作用などの加温作用／血行促進作用が低下しない。
【００７５】
丸型チューブ２１…または／及び筒状チューブ２２…、上布１などの一部または全部の表面には光触媒コーティングなどにより、光触媒作用などの抗菌作用／防臭作用／防虫作用／分解作用があり、下布４などの一部または全部には、遠赤外線発生作用などの加温作用／血行促進作用がある。
【００７６】
これにより、人体に対して遠赤外線で加温作用／血行促進しつつも、光触媒作用でこれら加温作用／血行促進による発汗による汚れ／悪臭発生を防止できる。また、この遠赤外線も光の一種であり、上記光触媒の機能を高めることができ、抗菌・防臭の効果を相乗的に高めることができる。特に遠赤外線の波長が可視光線に近く、波長の短い近赤外線、中赤外線であると、この効果はより高くなる。上記中綿１２（羊毛ゼオライト）からはこの中赤外線が出ている。
【００７７】
なお、丸型チューブ２１…または／及び筒状チューブ２２…、上布１、中上布２、中下布３などの一部または全部に、遠赤外線発生作用などの加温作用／血行促進作用があってもよいし、下布４などの一部または全部には、光触媒作用などの抗菌作用／防臭作用／防虫作用／分解作用があってもよい。
【００７８】
また、丸型チューブ２１…だけの一部または全部に、光触媒作用などの抗菌作用／防臭作用／防虫作用／分解作用を持たせることが望ましい。これは、わずかながら、筒状チューブ２２…が四肢の圧力／重力でつぶされて、丸型チューブ２１…の中に入ってしまう可能性が若干あるが、逆に筒状チューブ２２…の中に丸型チューブ２１…が入ってしまう可能性は無いので、筒状チューブ２２…及び丸型チューブ２１…全体としての光触媒作用が低下してしまうことがないからである。
【００７９】
したがって、長年の使用で感触の良い座り心地が低下してしまうことがなくなる。上記筒状チューブ２２…及び丸型チューブ２１…には、場合によってアパタイト加工シリカゲルが混合される。これにより、上記乾燥作用をより向上させることができる。
【００８０】
（４）他の実施の形態
本発明は上記各実施例に限定されず、本発明の趣旨を逸脱しない範囲で種々変更可能である。例えば、上記第三受圧体１３と上記第四受圧体１４との間には、これら第三受圧体１３及び第四受圧体１４の中間の太さまたは高さの受圧体が介そうされてもよい。
【００８１】
上記第四受圧体１４、第五受圧体１５または／及び第六受圧体１６、さらには上記第三受圧体１３の一部または全部は省略されて、薄い布になってもよいし、全く省略されてもよいし、増やされてもよい。受圧体１１〜１６の一部又は全部の大きさは、大きくされても良いし、逆に小さくされてもよい。これでも上述と同様の効果を奏するし、構造が簡単になる。
【００８２】
上記第三連結部７、第四連結部８または／及び第五連結部９、さらには第二連結部６の一部または全部は省略されて、上記第三受圧体１３、第四受圧体１４、第五受圧体１５または／及び第六受圧体１６は、１つ、２つまたは３つに繋がってもよい。連結部５〜９の一部又は全部の大きさは、大きくされても良いし、逆に小さくされてもよい。これでも上述と同様の効果を奏するし、構造が簡単になる。
【００８３】
上記第一受圧体１１、第二受圧体１２、第三受圧体１３、第四受圧体１４、第五受圧体１５、第六受圧体１６それぞれは、長手方向にわたって縫合ラインによって２列または複数に分割されても良い。これにより、人体当接具の手前奥方向だけでなく、これと交わる左右方向にも、通気性がよくなる。
【００８４】
第一受圧体１１、第二受圧体１２、第三受圧体１３、第四受圧体１４、第五受圧体１５、第六受圧体１６、第一下受圧体３６、第二下受圧体３７、第三下受圧体３８の形状は長方形または細長い方形状のほか、円形、三角形、正方形、Ｌ字型、多角形、凹みのある多角形、曲線形などの形状でもよい。これら受圧体１１〜１６、下受圧体３６〜３８の一部又は全部の大きさは、大きくされても良いし、逆に小さくされてもよい。
【００８５】
第一下受圧体３６、第二下受圧体３７、第三下受圧体３８の一部または全部は省略されてもよいし、増やされても良いし、一部又は全部が繋がって合体されてもよいし、大きくされても良いし、逆に小さくされてもよい。第一下受圧体３６、第二下受圧体３７、第三下受圧体３８に充填される丸型チューブ２１または／及び筒状チューブ２２は、それぞれ同じ量になってもよいし、省略されてもよい。
【００８６】
係止シート３９の一部または全部は省略されても良いし、逆に増やされてもよい。係止シート３９の形状は、長方形のほか、円形、三角形、正方形、Ｌ字型、多角形、凹みのある多角形、曲線形などの形状でもよい。係止シート３９の大きさは、大きくされても良いし、逆に小さくされてもよい。
【００８７】
係止シート３９が増やされるまたは大きくされると、高い背もたれでも係止シート３９を掛けることができるし、係止シート３９を下腿部の下の方まで配置できる。係止シート３９の中に、丸型チューブ２１…または／及び筒状チューブ２２…が充填されてもよい。これにより、下受圧体が受圧体及び連結体より大きく外に延出されたり、逆に小さく内に縮退されたりする。
【００８８】
上記突出部２７の一部または全部は省略されてもよし、逆に増やされてもよい。突出部２７の形状は、Ｌ字型のほか、円形、三角形、長方形、正方形、多角形、凹みのある多角形、曲線形などの形状でもよい。上記突出部２７の大きさは、大きくされても良いし、逆に小さくされてもよい。
【００８９】
上記結合部１８の一部または全部は省略されてもよいし、逆に増やされてもよい。上記結合部１８の形状は、ジグザグ状、碁盤の目状、湾曲波状、矩形波状、三角形状などでもよい。上記結合部１８の大きさは、大きくされても良いし、逆に小さくされてもよい。
【００９０】
上記第一連結部５、第二連結部６、第三連結部７、第四連結部８、第五連結部９の幅は狭く細長くてもよいし、一部または全部は省略されてもよいし、逆に増やされてもよい。第一連結部５、第二連結部６、第三連結部７、第四連結部８、第五連結部９の形状は、幅のある直線状のほか、ジグザグ状、碁盤の目状、湾曲波状、矩形波状、三角形状などでもよい。
【００９１】
上記丸型チューブ２１…または／及び筒状チューブ２２…の一部または全部は省略されても良いし、逆に増やされても良い。丸型チューブ２１…または／及び筒状チューブ２２…の大きさは、大きくされても良いし、逆に小さくされてもよい。人体当接具に当接する人間の体重が重いときは、丸型チューブ２１…または／及び筒状チューブ２２…の大きさは大きくされ、体重が軽いときは、丸型チューブ２１…または／及び筒状チューブ２２…の大きさは小さくされる。
【００９２】
筒状チューブ２２…及び丸型チューブ２１…は、円筒状、球形のほか、円柱状、角柱状、楕円球状、多面体状、棒状、表面に凹凸のある形状、螺旋状、板状など、異なる形状のものに置き換えられてもよいし、異なる形状のものが充填されてもよい。上記筒状チューブ２２…及び丸型チューブ２１…は、上記遠赤外線を発する綿または光触媒作用のある綿・クッションで代用、または混合されても良い。
【００９３】
筒状チューブ２２…などの中空の充填物の表面及び内面に光触媒作用を持たせ、丸型チューブ２１…などの中空ではない充填物の表面に遠赤外線効果を持たせてもよい。そうすると、中空の充填物の外部のほか内部も空気が流動し、光触媒効果がより向上する。
【００９４】
上記上布１、中上布２、中下布３、下布４の一部または全部も省略されてもよいし、逆に増やされても良いし、網、シートなどの布以外の素材で構成されてもよい。上布１、中上布２、中下布３、下布４の形状は、長方形のほか、円形、三角形、正方形、Ｌ字型、多角形、凹みのある多角形、曲線形などの形状でもよい。上記上布１、中上布２、中下布３、下布４の大きさは、大きくされても良いし、逆に小さくされてもよい。
【００９５】
下布４の摩擦係数は、上布１の摩擦係数より大きくてもよく、この場合下布４には表面の目が細かい布または粘着性のある布が用いられる。これにより、本人体当接具が、車椅子や椅子からずり落ちてしまうことがなくなり、座っている人が車椅子や椅子からずり落ちてしまうことがなくなる。
【００９６】
上記遠赤外線を発する布１〜４、２６、チューブ２１、２２は、人体当接具の下面全面または／及び内部に隙間なく配置されるのではなく、所定間隔を置いて複数個所にわたって配置されても良いし、一部の面、種々の箇所に配置されてもよい。この場合でも、当接する人体に遠赤外線を当てることができる。また、光触媒作用のある布１〜４、２６、チューブ２１、２２は、人体当接具の下側全面または／及び内部ではなく、一部に配置されてもよい。
【００９７】
上記遠赤外線の波長は、布１〜４、２６、チューブ２１、２２の中で、同じでもよいし、異なっていてもよい。この場合、波長の長い遠赤外線は人体当接具の内部から発生され、波長の短い遠赤外線は人体当接具の表面から発生される。しかし、逆であってもよい。
【００９８】
（４）他の発明の効果
[１]押圧によって凹んで圧力を受け止め、人間の膝の裏付近に設置される第一の受圧体と、  この第一の受圧体より太さが小さいまたは高さが低く、押圧によって凹んで圧力を受け止め、上記第一の受圧体より人間の臀部により近い位置に設置される第二の受圧体と、  この第二の受圧体より太さが小さいまたは高さが低く、押圧によって凹んで圧力を受け止め、上記第二の受圧体より人間の臀部により近い位置に設置される第三の受圧体と、  上記第一の受圧体と上記第二の受圧体とを連結し、これら第一の受圧体及び上記第二の受圧体より太さが小さいまたは高さが低い第一の連結体と、  上記第二の受圧体と上記第三の受圧体とを連結し、これら第二の受圧体及び上記第三の受圧体より太さが小さいまたは高さが低い第二の連結体とを備えたことを特徴とする人体当接具。
【００９９】
[２]上記第一の受圧体、上記第二の受圧体、上記第三の受圧体にかけて、漸次太さが小さくなるまたは漸次高さが低くなって傾斜し、この傾斜部分に膝の裏から大腿部が当接し、  上記第三の受圧体より第一の受圧体とは反対側は同じ太さまたは同じ高さで傾斜せず、この部分には臀部が当接し、この傾斜部分と非傾斜部分との境界は人体当接具の表面のほぼ中央であることを特徴とする請求項１記載の人体当接具。
【０１００】
これにより、老齢者などオムツをしている人にとっては、オムツの部分だけを傾斜させず、臀部を傾斜させないようにすることができ、快適な座り心地を達成できる。臀部まで傾斜していると、座った時安定せず、座り心地が悪くなる。
【０１０１】
[３]上記第一の受圧体、上記第二の受圧体、上記第三の受圧体、上記第四の受圧体の下面には、上記第三の受圧体または上記第四の受圧体より太さが小さいまたは高さが低い下受圧体が設けられていることを特徴とする請求項１または２記載の人体当接具。これにより、連結部の下にも受圧体を配置でき、連結部の下の感触が良くなる。
【０１０２】
[４]人体当接具は人体の腰から臀部にかけても設置当接され、上記第一の受圧体は腰付近に設置され、上記第三の受圧体は臀部付近に設置されることを特徴とする請求項１、２または３記載の人体当接具。これにより、本人体当接具を、臀部及び大腿部の下に敷いたり、腰及び臀部の背後から当接させたりでき、本人体当接具を多用途に使用することができる。
【０１０３】
[５]上記第一の受圧体の上記第二の受圧体とは反対側には、係止体が連結され、この係止体は椅子または車椅子の背もたれに係止されるまたは下腿部の裏側に当接することを特徴とする請求項１、２、３または４記載の人体当接具。これにより、人体当接具が車椅子または椅子からずり落ちることがなくなる。また、膝の下の下腿部にも快適な座り心地を与えることができる。
【０１０４】
[６]上記第一受圧体の両端には、この第一受圧体から突出している突出部が設けられていることを特徴とする請求項１、２、３、４または５記載の人体当接具。これにより、膝が外に開くのを規制でき、膝の両外側が車椅子または椅子の支柱などに当たることがなくなり、快適な座り心地が得られる。また、第一受圧体及び突出部が腰に巻きつけるように当接でき、臀部に比べて細い腰を安定させることができ、快適な座り心地が得られる。
【０１０５】
[７]上記人体当接具は、  上記第三の受圧体より太さが小さいまたは高さが低く、押圧によって凹んで圧力を受け止め、上記第三の受圧体より人間の臀部により近い位置に設置される第四の受圧体と、  上記第三の受圧体と上記第四の受圧体とを連結し、これら第三の受圧体及び上記第四の受圧体より太さが小さいまたは高さが低い第三の連結体とをさらに備えたことを特徴とする請求項１、２、３、４、５または６記載の人体当接具。これにより、第一の受圧体から第三の受圧体へかけてだけでなく、第一の受圧体から第四の受圧体へかけてまで、徐々に低くして傾斜させて、安定した座り心地が得られる。
【０１０６】
[８]上記第四の受圧体と上記第三の連結体とは複数交互に連結され、人間の臀部まで到達していることを特徴とする請求項１、２、３、４、５、６または７記載の人体当接具。これにより、老齢者などオムツをしている人にとっては、オムツの部分だけを傾斜させず、臀部を傾斜させないようにすることができ、快適な座り心地を達成できる。臀部まで傾斜していると、座った時安定せず、座り心地が悪くなる。
【０１０７】
[９] 上記受圧体の中には、筒状体と丸型体とが充填され、筒状体の内径は丸型体の外径より小さいことを特徴とする請求項１、２、３、４、５、６、７または８記載の人体当接具。これにより、筒状体の中に丸型体が入ってしまわず、長年の使用で感触の良い座り心地が低下してしまうことがなくなる。筒状体及び丸型体に遠赤外線効果または光触媒作用があれば、筒状体の中に丸型体が入ってしまわないので、このような遠赤外線効果または光触媒作用が低下しない。
【０１０８】
[１０]上記受圧体、連結体、下受圧体、これらの受圧体、連結体、下受圧体の外面／表面、これらの受圧体、連結体または／及び下受圧体の内部には、遠赤外線効果または／及び光触媒作用のある素材が用いられることを特徴とする請求項１、２、３、４、５、６、７、８または９記載の人体当接具。
【０１０９】
これにより、上記遠赤外線の作用によって四肢の血行がよくなって発生する発汗による汚れ、雑菌、異臭、垢、老廃物を光触媒作用によって、分解することができる。また、寒いとき冷えるときには、遠赤外線を良く発生する側を人体に当接させ、温まって発汗してきたときまたは暑くて発汗しているときには、光触媒作用のある側を人体に当接させて、効率的に使い分けできる。
【０１１０】
[１１]上記人体当接具の人体に当接する面の摩擦係数は、椅子、車椅子など人体以外のものに当接する面の摩擦係数より、小さいことを特徴とする請求項１、２、３、４、５、６、７、８、９または１０記載の人体当接具。これにより、人体当接具が椅子、車椅子などからずり落ちにくくなる。
【産業上の利用可能性】
【０１１１】
押圧によって凹んで圧力を受け止める複数の受圧体が、膝から臀部に向かって徐々に低くなって傾斜され、受圧体の上の人体がずり落ちない。複数の受圧体１１〜１３は、複数の連結体５〜６で連結され、受圧体１１〜１３は、順番に太さが小さくなるまたは高さが低くなって傾斜する。
【０１１２】
複数の受圧体１４〜１６は、複数の連結体７〜９で連結され、受圧体１４〜１６は、同じ太さまたは同じ高さで傾斜していない。傾斜部分には膝裏から大腿部が載置され、非傾斜部分には臀部が載置される。臀部にオムツをしても大腿部が傾斜部分からずり落ちない。この人体当接具は人体の腰から臀部にかけても設置当接され、上記第一受圧体１１は腰付近に設置され、第三受圧体１３は臀部付近に設置され、多用途に使用される。複数の受圧体１１〜１６の下には下受圧体３６、３７、３８が設けられ、複数の連結体５〜９の下でも受圧が行なわれる。
【０１１３】
複数の受圧体１１〜１６、下受圧体３６〜３８には、筒状チューブ２２…及び丸型チューブ２１…が内蔵される。筒状チューブ２２…及び丸型チューブ２１…からは、光触媒効果または／及び遠赤外線効果が発揮され、上布１、中上布２、中下布３、下布４からは、光触媒効果または／及び遠赤外線効果が発揮される。
【図面の簡単な説明】
【０１１４】
【図１】人体当接護具の外観を示す。
【図２】人体当接具の断面を示す。
【図３】人体当接具を大腿部及び臀部の下に敷いて使用する状態を示す。
【図４】人体当接具を腰及び臀部の背後に当接して使用する状態を示す。
【符号の説明】
【０１１５】
１…上布、２…中上布、
３…中下布、４…下布、
５…第一連結部（第一の連結体）、
６…第二連結部（第二の連結体）、
７…第三連結部（第三の連結体）、
８…第四連結部（第三の連結体）、
９…第五連結部（第三の連結体）、
１０…周縁縫合部、
１１…第一受圧体（第一の受圧体）、
１２…第二受圧体（第二の受圧体）、
１３…第三受圧体（第三の受圧体）、
１４…第四受圧体（第四の受圧体）、
１５…第五受圧体（第四の受圧体）、
１６…第六受圧体（第四の受圧体）、
１８…結合部、２１…丸型チューブ、
２２…筒状チューブ、２６…側縁布、２７…突出部、
３１…第一下縫合部、３２…第二下縫合部、
３６…第一下受圧体（下受圧体）、
３７…第二下受圧体（下受圧体）、
３８…第三下受圧体（下受圧体）、
３９…係止シート（係止体）、４０…紐。
【図１】
2008029453.tif 000003
【図２】
2008029453.tif 000004
【図３】
2008029453.tif 000005
【図４】
2008029453.tif 000006